(57)【要約】      （修正有）【課題】シリコーン樹脂などによるガラス、サッシまわりなどの目地作業で、シーラント筒体のノズル口で生ずる液材固化問題を解消して、再使用を効率良く行えるようにするシール部材の提供。【解決手段】防水剤、密封材などを填入したシーラント筒体の上端でノズル体を取付ける吐出口に対し、下方大径部内周に上記吐出口外周に設けた雄ネジと螺合する雌ネジを設けると共に、上方小径部外周にノズル体の底面内部と螺合止着させる雄ネジを設けた凸状嵌体を作成し、該凸状嵌体をシーラント筒体の使用後に吐出口とノズル体間に介在させるものとなす。このさい凸状嵌体の上方小径部内方に凹状の窩室８を形成したものとなしたり、凹状の窩室の中央箇所に対し、ノズル体のノズル孔内へ挿入可能となされる一定長の突起体１０を立設させたりする。【選択図】図１
0003107069.tif 000002
【実用新案登録請求の範囲】
【請求項１】
防水剤、密封材などを填入したシーラント筒体の上端でノズル体を取付ける吐出口に対し、下方大径部内周に上記吐出口外周に設けた雄ネジと螺合する雌ネジを設けると共に、上方小径部外周にノズル体の底面内部と螺合止着させる雄ネジを設けた凸状嵌体を作成し、該凸状嵌体をシーラント筒体の使用後に吐出口とノズル体間に介在させるものとなすことを特徴とするシーラント筒体用シール部材。
【請求項２】
凸状嵌体の上方小径部内方に凹状の窩室を形成したものとなしたことを特徴とする請求項１記載のシーラント筒体用シール部材。
【請求項３】
凹状の窩室の中央箇所に対し、ノズル体のノズル孔内へ挿入可能となされる一定長の突起体を立設させたことを特徴とする請求項２記載のシーラント筒体用シール部材。
【請求項４】
突起体は先細り円柱形状となしたことを特徴とする請求項２又は３記載のシーラント筒体用シール部材。
【請求項５】
窩室の上端へラッパ状の開縁を形成し、また内底面は弧状に形成したものとなしたことを特徴とする請求項１，２，３又は４記載のシーラント筒体用シール部材。
【考案の詳細な説明】
【技術分野】
【０００１】
タイルやサッシなどの目地シールには図３Ａに示す如く防水剤や密封材などのシーラントをカートリッジタイプの筒体内１へ封入し、これを図３Ｂに示す如く操作ガン２に装填し、レバー３操作でカートリッジ底部をスプリング４による弾圧操作で先端のノズル体５へ向け押圧しながら吐出させることが行われる。
本考案は係るシーラント筒体１の使用中に於けるトラブルを解消するためのシール部材に関する。
【背景技術】
【０００２】
上記シーラント筒体１の使用は市販製品となされている密封されたプラスチック製ノズル体５の先端口をカッターで適宜切断して行うのであり、作業中に全てを使い切るさいは、何らの問題を生じさせたりしないものの、使い切らないで筒体内に液材が残るような場合、一定日時の経過後に於ける使用では筒体内の液材中、ノズル体５の孔内液材は硬化状態となっていることから、ノズル体５をシーラント筒体１の上端部から取外すと共に、ノズル体５内で固化状態となった液材をその先端口から突刺棒を突っ込んで逆方向へ取り除いたのち、再び取付けて作業をすることが行われている。
このさい、ノズル体５のノズル口の切断径が小さい場合は、不使用時の固化状態は余り進行しないので、再度使用時にその下方のノズル口を切断しながら使用することも可能であるが、当初から切断口が小さいと全体的な作業性に劣るものとなる。
【特許文献１】実開平６−８１９８０号
【考案の開示】
【考案が解決しようとする課題】
【０００３】
上記に於けるノズル本体内の液材固化を防止するには一般的に切断されたノズル口先端に筒状となしたキャップを取付け、乾燥防止が図れるようになすのであるが、完全なものとは言えず即ち一定日時経過後の再使用時ではノズル本体の固化物の取り除き作業が必要不可欠であり、且つ迅速に行い得るものとならない。
本考案は斯有る問題を解決せんとするものである。
【課題を解決するための手段】
【０００４】
本考案は、防水剤、密封材などを填入したシーラント筒体の上端でノズル体を取付ける吐出口に対し、下方大径部内周に上記吐出口外周に設けた雄ネジと螺合する雌ネジを設けると共に、上方小径部外周にノズル体の底面内部と螺合止着させる雄ネジを設けた凸状嵌体を作成し、該凸状嵌体をシーラント筒体の使用後に吐出口とノズル体間に介在させるものとなす。このさい、凸状嵌体の上方小径部内方に凹状の窩室を形成したものとなし、該凹状の窩室の中央箇所に対し、ノズル体のノズル孔内へ挿入可能となされる一定長の突起体を立設させたりするのであり、この突起体は先細り円柱形状にするのが良い。更に窩室の上端面はラッパ状の開縁を形成し、且つ内底面は弧状に形成したものとなしたりする。
【考案の効果】
【０００５】
本考案では、上記の如き特殊構成の凸状嵌体を作成し、シーラント筒体の不使用時には筒体上端の吐出口とノズル本体間に対し、該特殊構成のシール部材を介在させたものとなしておくのであり、これによりノズル本体内に残留する液材の固化問題、及びこれに伴う再使用時に於けるノズル本体内の固化物除去に係る面倒な作業を簡略化したり、不要にしたりすることができ、迅速で効率の良い作業展開を図ることのできるものとなる。
【考案を実施するための最良の形態】
【０００６】
図１は本考案に係るシーラント筒体用シール部材６の一部破断斜視図である。
図示の通り該シーラント筒体用シール部材６（以下、シール部材と略称）は、凸形状をなし下方大径部６ａの内方を空室７に形成すると共に、その内周には雌ネジｍが刻設されたものとなされている。ここに、該空室７の内径及び雌ネジｍはシーラント筒体１の上端でノズル体５を取付けてなる吐出口１ａの外径と同径で、且つ該吐出口１ａに刻設された雄ネジｎと螺合する関係となされる。
【０００７】
一方、上方小径部６ｂはその内方に有底の窩室８を形成すると共に、外周にはノズル体５と螺合止着するための雄ネジ９を刻設したものとなしてある。１０は窩室８の中央箇所に立設させた突起体であって、先細りの円柱形状をなしており、且つその高さｈはノズル体５の高さＨより小となる寸法となされる。
【０００８】
シール作業でシーラント筒体１内の液材を使い切らないで筒体内に残留するような場合、従来に於けるノズル体５のノズル孔５ａ先端にはキャップを嵌着させ、開放された先端口からの液材の乾燥固化防止を図るのであるが、長時間経過後の再使用ではノズル体５に於けるノズル孔５ａ内の液材固化は免れず、従ってノズル体５をシーラント筒体１の吐出口から取外し、ノズル体内の固化物をその先端開放口から針棒などを逆方向へ突っ込み、固化物をその下方から抜き出して清拭する作業が必要である。
【０００９】
図２は上記に於ける本考案に係るシール部材６の使用状態を説明するものであり、即ち本考案では不使用時はＡに示す如く先ずシーラント筒体１の吐出口１ａからノズル体５を取出し、次にＢに示す如くその吐出口１ａに対し本考案のシール部材６を螺合止着させるのであり、その完了後にはＣに示す如くシール部材６の上方へノズル体５を螺合止着させるものとなす。このさい、ノズル体５のノズル孔５ａ内には使用中の液材Ｗが残留したものとなっているが、上記に於ける放置状態下ではＤに示す如く、該ノズル孔５ａ内の液材Ｗは部分的にシール部材６の窩室９内へ垂れ下がる状態になる。
【００１０】
このさい、ノズル孔５ａ内で残留固化している液材は、シール部材６の中央箇所へ突出形成した突出体１０をノズル５の上端からノズル孔５ａ内へ逆方向に挿入させることにより、容易にその排出除去を可能にするのである。
而して、再使用時にはノズル体５及びシール部材６を取外し、該取外したあとのシーラント筒体１の吐出口１ａ上へ、上記ノズル体５を螺合止着させて従来通り再使用するのである。
【００１１】
本考案では上記のことから明らかな通り、その不使用状態ではシーラント筒体１の吐出口１ａに対し、シール部材６を直接に取付けたものとしてノズル体５と分離する。而して、この分離状態で放置するものとなすのであり、従来のノズル体５の先端口にキャップを取付けてシール状態にするのに比べ、筒体１の吐出口１ａに於ける根元側箇所でシールすることから、より確実なシールを可能となすことができる。
【００１２】
なお、シール部材６の窩室８内へ流下して固化してなる液材がる場合この取出しは、その上方開放部がラッパ状に開縁して比較的大きなものとなされていることから、極めて容易に取り出せるものとなるのであり、このさい窩室８の底面部を椀状の凹みに形成したものになしてあると、その取出しがより容易になすことができる。
【００１３】
本考案のシール部材６はシーラント筒体１とノズル体５との間に介在させた状態で市販品となし、最初の使用状態ではこれを取外して使用できるものとなすことができる。これに対しシーラント筒体１へ従来通り直接的にノズル体５を取付けたものに対しシール部材６を付属させて販売することできるが、単にシール部材６のみを単品として製品販売するようになしても良い。
【００１４】
本考案のシール部材６に於いて、その小径部６ｂの雄ネジ９にはその数箇所に対し、外気をノズル孔５ａ内へ導き入れるための縦方向の溝１１を穿設することができる。而して、これは不使用時即ちシール部材６上へノズル体５を止着状態になしたさい、ノズル孔５ａ内に於ける液材を外気に触れ易くしてその固化促進を図る上で著効を奏せしめるものとなる。
【図面の簡単な説明】
【００１５】
【図１】本考案は係るシーラント筒体用シール部材の一部破断斜視図である。
【図２】Ａ，Ｂ，Ｃ，Ｄは上記シール部材の着脱使用状態説明図である。
【図３】従来品の使用状態図である。
【符号の説明】
【００１６】
１      シーラント筒体
２      操作ガン
３      レバー
４      スプリング
５      ノズル体
６      シーラント筒体用シール部材
７      空室
８      窩室
１０    突起体
１１    縦溝
【図１】
0003107069.tif 000003
【図２】
0003107069.tif 000004
【図３】
0003107069.tif 000005